(57)【要約】【課題】一般にチャージポンプ昇圧回路は駆動電源として昇圧電圧自体を用いるため、停止状態から昇圧動作を起動するときには、必要な駆動電位を昇圧出力端子に供給する必要がある。従来は、チャージポンプ昇圧回路を短時間に起動できないという課題があった。【解決手段】本発明のチャージポンプ昇圧回路は、昇圧動作を停止しているときなどに昇圧出力端子に所定の電源電位供給しておくスイッチ手段を設けており、昇圧出力端子に所定の電源電位を予め供給しておくから、チャージポンプ昇圧回路を短時間に起動することができる。【選択図】図１
2009232592.tif 000002
【特許請求の範囲】
【請求項１】
昇圧回路駆動クロック信号をクロック入力端子に入力し、基準電位を基準電位入力端子に入力し、該基準電位よりも高電位の入力最高電位を高電位入力端子に入力し、該基準電位と該入力最高電位との間の所定の電位である昇圧入力電位を入力電位端子に入力し、
前記基準電位を基準として前記昇圧入力電位を前記昇圧回路駆動クロック信号に応じて所定の電位まで昇圧し、昇圧電圧として昇圧出力端子より出力するチャージポンプ昇圧回路において、
前記昇圧出力端子と前記高電位入力端子との間にスイッチ手段を備え、
前記チャージポンプ昇圧回路が動作を停止しているとき、および前記昇圧出力端子に現れる前記昇圧電圧が前記入力最高電位より低いとき、
前記スイッチ手段は、所定の時間だけ前記昇圧出力端子と前記高電位入力端子との間を接続状態とし、その後に開放状態とすることを特徴とするチャージポンプ昇圧回路。
【請求項２】
前記スイッチ手段は、ダイオード接続されたＭＯＳ型トランジスタであり、
ゲート電極とソース電極またはドレイン電極のどちらか一方とバルク電極とを接続して前記昇圧出力端子に接続し、
前記昇圧出力端子に接続していないドレイン電極またはソース電極を前記高電位入力端子に接続してなり、
前記スイッチ手段は、前記昇圧出力端子と前記高電位入力端子との間の電位差が所定の電位差となるとき、ソース電極とドレイン電極との間が導通することを特徴とする請求項１に記載のチャージポンプ昇圧回路。
【発明の詳細な説明】
【技術分野】
【０００１】
本発明は、昇圧回路に関し、特にチャージポンプ回路を有するチャージポンプ昇圧回路に関する。
【背景技術】
【０００２】
入力電圧レベルに対して概略整数倍の電圧レベルの出力電圧を発生するチャージポンプ昇圧回路が半導体集積回路装置上に搭載され、広く用いられている。
【０００３】
一般にチャージポンプ昇圧回路では、昇圧動作により発生した昇圧出力電圧をチャージポンプ昇圧回路自体の駆動電源としても用いている。このため、チャージポンプ昇圧回路が停止した状態では、チャージポンプ昇圧回路を駆動するのに必要な駆動電圧が無いため昇圧動作を開始できないという問題点があった。
このような問題を解決するため、チャージポンプ昇圧回路の起動性を向上する技術は、多くの提案を見るものである（例えば、特許文献１参照。）。
【０００４】
特許文献１に示した従来技術は、チャージポンプ昇圧回路が停止した状態から昇圧回路駆動クロック信号を供給して昇圧動作を開始する直前に、チャージポンプ昇圧回路を停止状態から動作状態に起動制御する制御信号の供給を受けて、昇圧出力端子に昇圧入力電位より高電位の電源電位を供給してやることで、これをチャージポンプ昇圧回路の昇圧動作の開始に必要な駆動電圧とする技術である。
【０００５】
［特許文献１に示した従来技術の説明：図４］
特許文献１に示した従来技術を図を用いて説明する。図４は、特許文献１に示した従来技術の主旨を逸脱しないようにすると共に説明しやすいようにした回路図である。
【０００６】
図４において、１１はチャージポンプ回路、９２は起動回路、１３は制御回路である。これらでチャージポンプ型電源回路１０を構成している。
２７〜２９はタイミング信号、３０は電源オン信号、１４は入力電圧Ｖｉｎの入力端子、８４はＶｄｄ入力端子，８８は出力端子、Ｖｏｕｔは昇圧出力、Ｃｐｍｐは昇圧コンデンサ、Ｃｏｕｔは出力コンデンサである。
【０００７】
チャージポンプ回路１１には、入力端子１４に供給された入力電圧Ｖｉｎがライン８５を介して供給されており、入力電圧Ｖｉｎを昇圧して得た出力電圧Ｖｏｕｔを出力端子８８に接続されたライン１９に供給する。
【０００８】
チャージポンプ回路１１には、一対の端子８０，２１に接続されたコンデンサＣｐｍｐがライン８２，２３を介して接続されており、制御回路１３から供給するタイミング信号２７〜２９と称する昇圧回路駆動クロック信号に応じて昇圧動作する。
【０００９】
さらに、出力端子８８には、他端が最低電圧レベルＶｓｓに保持された出力コンデンサＣｏｕｔが接続されており、出力端子８８における出力電圧がライン１９を介してチャージポンプ回路１１自身に駆動電圧として供給されている。
【００１０】
起動回路９２には、入力端子８４に接続された電源電圧Ｖｄｄがライン２５を介して供給されており、また起動回路９２の出力は、ライン１７を介してライン１９に接続されている。ここにおいて、電源電圧Ｖｄｄは入力電圧Ｖｉｎより常にハイレベルの電圧である。
【００１１】
起動回路９２には、制御回路１３からのチャージポンプ起動信号を供給するためのライン８６が接続されている。
【００１２】
つづいて、図４に示した特許文献１に示した従来技術のチャージポンプ型電源回路１０を、昇圧動作停止状態から昇圧動作状態に起動する際の動作について以下に説明する。
【００１３】
特許文献１に示した従来技術のチャージポンプ型電源回路１０を起動する時点においては、このチャージポンプ型電源回路１０をオンに制御する電源オン信号が端子３０を介して制御回路１３に供給される。この電源オン信号に応じて制御回路１３はライン８６を介して所定時間、起動回路９２にチャージポンプ起動信号を供給する。
【００１４】
起動回路９２は、チャージポンプ起動信号に応じて、入力端子８４から入力する電源電圧Ｖｄｄをライン２５とライン１７を介してライン１９に供給する。これによりライン１９における電圧レベルは、チャージポンプ回路１１の動作に必要な電圧レベルに達し、チャージポンプ回路１１は昇圧動作が可能な状態になる。
【００１５】
つづいて、チャージポンプ起動信号の消滅後、チャージポンプ回路１１は、制御回路１３から供給するタイミング信号と称する昇圧回路駆動クロック信号に応じて昇圧動作を行い、入力電圧Ｖｉｎを昇圧して出力電圧Ｖｏｕｔを発生し、このチャージポンプ型電源回路１０からは入力電圧Ｖｉｎに基づく出力電圧Ｖｏｕｔが安定して供給される。
【００１６】
特許文献１に示した従来技術は、チャージポンプ回路の停止状態から昇圧回路駆動クロック信号を供給して昇圧動作を開始させようとするときに、チャージポンプ回路が停止した状態では昇圧出力端子に昇圧出力電圧が発生しておらず、したがって、チャージポンプ回路自体を駆動するのに必要な駆動電圧が無いから、チャージポンプ回路の昇圧動作を起動できないという問題点を解決している。
【００１７】
【特許文献１】特許第２６８０５１７号公報（第２−３頁、第１図）
【発明の開示】
【発明が解決しようとする課題】
【００１８】
特許文献１に示した従来技術では、チャージポンプ回路１１を起動するときに、実際に昇圧回路駆動用クロック信号を供給開始して昇圧動作を開始させ、昇圧電圧を発生させる本来の昇圧動作の開始の直前に、準備動作として、チャージポンプ回路１１を起動する制御信号に応じて、一定期間昇圧入力電圧より高電位の入力最高電位を昇圧電源出力ラインに供給する。
【００１９】
この準備動作のために余分な時間がかかってしまい、チャージポンプ回路１１を、昇圧回路駆動用クロックを供給するだけで速やかに起動することができないという課題があった。
【００２０】
本発明は、上記課題を解決して、チャージポンプ昇圧回路の起動が必要なときに、チャージポンプ昇圧回路駆動用クロックを供給するだけで速やかにチャージポンプ昇圧回路を起動することができるチャージポンプ昇圧回路を提供することを目的とする。
【課題を解決するための手段】
【００２１】
上記課題を解決するため、本発明のチャージポンプ昇圧回路は、下記の構成を採用するものである。
【００２２】
昇圧回路駆動クロック信号をクロック入力端子に入力し、基準電位を基準電位入力端子に入力し、基準電位よりも高電位の入力最高電位を高電位入力端子に入力し、基準電位と入力最高電位との間の所定の電位である昇圧入力電位を入力電位端子に入力し、
記基準電位を基準として昇圧入力電圧を昇圧回路駆動クロック信号に応じて所定の電圧まで昇圧し、昇圧電圧として昇圧出力端子より出力するチャージポンプ昇圧回路において、
昇圧出力端子と高電位入力端子との間にスイッチ手段を備え、
チャージポンプ昇圧回路が動作を停止しているとき、および昇圧出力端子に現れる昇圧電圧が入力最高電位より低いとき、
スイッチ手段は、所定の時間だけ昇圧出力端子と高電位入力端子との間を接続状態とし、その後に開放状態とすることを特徴とする。
【００２３】
スイッチ手段は、ダイオード接続されたＭＯＳ型トランジスタであり、ゲート電極とソース電極またはドレイン電極のどちらか一方とバルク電極とを接続して昇圧出力端子に接続し、昇圧出力端子に接続していないドレイン電極またはソース電極を高電位入力端子に接続してなり、スイッチ手段は、昇圧出力端子と高電位入力端子との間の電位差が所定の電位差となるとき、ソース電極とドレイン電極との間が導通することを特徴とする。
【発明の効果】
【００２４】
本発明にかかるチャージポンプ昇圧回路では、スイッチ手段により、チャージポンプ昇圧回路を起動するときの初期の駆動電圧として、入力最高電位が昇圧出力端子に対して、チャージポンプ昇圧回路の電源投入直後から予め供給されている。
このため、昇圧回路駆動クロック信号を供給開始するだけでいつでも速やかに昇圧動作の起動が行えるという効果を奏する。
【発明を実施するための最良の形態】
【００２５】
以下に、本発明を実施するための最良の形態について、図面を参照しながら詳しく説明する。
【００２６】
［全体構成の説明：図１］
本発明のチャージポンプ昇圧回路の実施形態を説明する。図１は、その構成を示すブロック図である。
図１に示すように、２は高電位入力端子、３，５，７，１５は配線、４は昇圧出力端子、６は基準電位端子、８は入力電位端子、１２は基準電位配線、１６，１８は信号線、２０はチャージポンプ回路、２２は制御回路、２４はクロック入力端子、２６はクロック入力配線である。そして、９はスイッチ手段である。なお、１はチャージポンプ昇圧回路である。
【００２７】
図１に示すように、制御回路２２は、クロック入力配線２６を介してクロック入力端子２４に接続し、信号線１６，１８を介してチャージポンプ回路２０に接続している。
そして、チャージポンプ回路２０は、配線７を介して入力電位端子８に接続し、配線１５を介して昇圧出力端子４に接続している。また、基準電位配線１２は基準電位端子６に接続している。
さらに、スイッチ手段９は、配線３，５，１５を介して昇圧出力端子４と高電位入力端子２との間に設けている。
【００２８】
基準電位端子６に入力する基準電位を電圧の基準とすると、入力電位端子８に入力する昇圧入力電位は、基準電位より正に高電位であり、高電位入力端子２に入力する入力最高電位は昇圧入力電位より高電位である。
チャージポンプ回路２０が昇圧動作を行って昇圧出力端子４に出力する昇圧電圧の電位
は、入力最高電位より高電位である。
【００２９】
図１に示すチャージポンプ昇圧回路１では、クロック入力端子２４に供給する昇圧回路駆動クロック信号が、クロック入力配線２６を介して制御回路２２に入力され、制御回路２２で位相反転信号の作成とレベルシフトを行ったのち、信号線１６，１８を介してチャージポンプ回路２０にクロック信号が供給される。
【００３０】
このチャージポンプ回路２０が昇圧動作を行う。チャージポンプ回路２０は、入力電位端子８に入力する昇圧入力電位を配線７を介して入力しており、この電位を所定の倍率で所定の昇圧電位まで昇圧する。
【００３１】
チャージポンプ回路２０の昇圧動作の結果発生する昇圧電圧は、チャージポンプ回路２０自体の駆動電圧となるとともに、配線１５を介して昇圧出力端子４に出力される。
なお、チャージポンプ回路２０は、クロック入力端子２４に供給する昇圧回路駆動クロック信号が動作しているときには昇圧動作を行い、昇圧回路駆動クロック信号が停止した状態では昇圧動作を停止する。
【００３２】
スイッチ手段９は、チャージポンプ回路２０が動作を停止しているとき、および昇圧出力端子４に現れる昇圧電圧が入力最高電位より低いときに、配線３，５介して、所定の時間だけ昇圧出力端子４と高電位入力端子２との間を短絡し、その後に開放する。
【００３３】
したがって、チャージポンプ回路２０が動作を停止しているときには、昇圧出力端子４および配線１５の電位は、高電位入力端子２に入力する入力最高電位に等しく保たれるから、クロック入力端子２４に供給する昇圧回路駆動クロック信号が動作を再度開始するだけでチャージポンプ回路２０は直ちに昇圧動作を開始できる。
【００３４】
本発明のチャージポンプ昇圧回路は、このスイッチ手段９を有する点が特徴的な部分である。このスイッチ手段９は、専用の制御回路を必要とせずに、高電位入力端子２と昇圧出力端子４との電位差に応じて自動的に動作するものである。両端子を接続する「接続」状態と開放する「開放」状態とを有するのである。このスイッチ手段９の詳細については、後述する。
【００３５】
［チャージポンプ回路の説明およびチャージポンプ昇圧回路の動作説明：図１、図２］
次に、本発明の実施形態のチャージポンプ回路２０の構成例を説明する。同時にチャージポンプ昇圧回路１の動作も合わせて図１、図２を用いて説明する。図２において、７２，７４，２６は昇圧コンデンサ、６０〜６６はスイッチ素子である。なお、すでに説明した構成には同一の番号を付与している。
【００３６】
図２に示すように、入力電位端子８と基準電位端子６との間に、スイッチ素子６１，昇圧コンデンサ７２，スイッチ素子６３を直列に接続し、同じく、スイッチ素子６５，昇圧コンデンサ７４，スイッチ素子６６を直列に接続している。
入力電位端子８と、昇圧コンデンサ７２とスイッチ素子６３との接続点と、の間にスイッチ素子６０を設けている。
スイッチ素子６１と昇圧コンデンサ７２との接続点と、昇圧コンデンサ７４とスイッチ素子６６との接続点と、の間にスイッチ素子６２を設けている。
昇圧出力端子４と、スイッチ素子６５と昇圧コンデンサ７４との接続点と、の間にスイッチ素子６４を設けている。
昇圧出力端子４と基準電位端子６との間には、昇圧コンデンサ２６を接続している。
【００３７】
制御回路２２からは、信号ΦとΦＢとを、それぞれ信号線１６と信号線１８とを介して
出力しており、スイッチ素子６２，６３，６４，６６は、信号Φを入力して動作し、スイッチ素子６０，６１，６５は、信号ΦＢを入力して動作する。
【００３８】
制御回路２２は、基準電位端子６に入力する基準電位をローレベルとし高電位入力端子２に入力する入力最高電位をハイレベルとする電位振幅で、クロック入力端子２４に入力される昇圧回路駆動クロック信号の、位相反転信号の作成とレベルシフトとを行う。
【００３９】
制御回路２２でレベルシフトされた信号Φと信号Φの位相反転信号であるΦＢとの振幅レベルは、基準電位端子６から入力される基準電位をローレベルとし、昇圧出力端子４の電位をハイレベルとしており、レベルシフトされた信号ΦとΦＢとのいずれかをスイッチ素子６０〜６６のそれぞれに供給する。
【００４０】
次に、チャージポンプ昇圧回路１の動作を説明する。まず、チャージポンプ回路２０が定常的な昇圧動作状態にあるときの動作を説明する。
【００４１】
制御回路２２は、クロック入力端子２４に供給される昇圧回路駆動クロック信号のハイ期間とロー期間との各半周期の繰り返しに応じて、スイッチ素子６０〜６６をそれぞれ「接続」と「開放」の必要な状態に切り換えて制御する。
【００４２】
そして、昇圧コンデンサ７２，７４，２６の相互接続および電源への接続の経路を周期的に繋ぎ換えて、入力電位端子８に供給する入力電圧を昇圧して整数倍の昇圧出力電圧を昇圧出力端子４に発生する。
【００４３】
より詳しくは、前半の半周期期間では、信号Φがハイレベル、信号ΦＢはローレベルであって、スイッチ素子６１，６３，６５，６６を「接続」に制御し、スイッチ素子６０，６２，６４は「開放」に制御する。これにより、昇圧コンデンサ７２，７４に基準電位に基づいて、入力電位端子８に供給する昇圧入力電位の電圧を接続して並列に充電する。
【００４４】
後半の半周期期間では、信号Φがローレベル、信号ΦＢはハイレベルであって、スイッチ素子６１，６３，６５，６６が「開放」に制御され、スイッチ素子６０，６２，６４が「接続」に制御される。これにより、充電した昇圧コンデンサ７２，７４を直列に接続して個々の昇圧コンデンサに充電した電圧の電圧和を得る。
【００４５】
そして、直列接続した昇圧コンデンサ７２の低電位側端子をスイッチ素子６０を介して入力電位端子８の配線７に接続することにより、昇圧コンデンサ７４の高電位側端子に昇圧電圧を発生する。
【００４６】
さらに、後半の半周期期間で「接続」に制御されるスイッチ６４を介して昇圧電圧を昇圧出力端子４に供給するとともに昇圧電圧保持用として働く昇圧コンデンサ２６に充電して昇圧電位を保持させる。
【００４７】
チャージポンプ昇圧回路１は、クロック入力端子２４に供給される昇圧回路駆動クロック信号が動作状態の期間は昇圧動作を行い、昇圧回路駆動クロック信号が停止状態の期間は昇圧動作を停止する。
【００４８】
次に、チャージポンプ昇圧回路１に電源が供給開始される時点と、それ以降の動作について説明する。
チャージポンプ回路２０に電源が供給開始される以前には、すべての入力電源の電位が基準電位にあるから、昇圧出力端子４の電位は、基準電位のレベルであり、さらに昇圧コンデンサ２６の充電電圧も０Ｖである。
【００４９】
チャージポンプ昇圧回路１の全ての入力電源に所定の電位が供給されると、昇圧出力端子４の電位は、基準電位のレベルのままであり、入力電位端子８の電位レベルは基準電位より高位の電圧レベルにあるから、スイッチ手段９が導通して、昇圧出力端子４と高電位入力端子２との間を短絡する。
【００５０】
この結果、昇圧出力端子４の電位レベルは、高電位入力端子２の電位のレベルに上昇し、この時点でスイッチ手段９の作用が終了して、昇圧出力端子４と高電位入力端子２との間は電気的に開放される。
【００５１】
以上の動作により、昇圧出力端子４の電位レベルは、チャージポンプ回路２０が昇圧動作を行うことが可能な電位の状態となり、いつでもクロック入力端子２４に供給される昇圧回路駆動クロック信号が動作を開始するだけで、直ちに昇圧動作を行うことが可能となる。
【００５２】
さらに、実際にクロック入力端子２４に昇圧回路駆動クロック信号が供給されてチャージポンプ昇圧回路１が動作を開始すると、昇圧出力端子４の電位レベルは高電位入力端子２の電位のレベルより高い電位レベルに上昇して定常的な昇圧動作状態に移行する。
【００５３】
そして、昇圧出力端子４の電位レベルが高電位入力端子の電位のレベルより高い電位レベルになると、スイッチ手段９は作用しないから、昇圧出力端子４と高電位入力端子２との間は電気的に開放されたままであり、チャージポンプ昇圧回路１は、正常に昇圧動作を継続することが可能である。
【００５４】
［スイッチ手段９の説明：図３］
次に、スイッチ手段９について説明する。図３は、スイッチ手段９を説明する図であって、図３（ａ）は、回路図、図３（ｂ）は、その構造を模式的に示した断面図である。図３において、３３ａはゲート、３３ｂはドレイン、３３ｃはバルク、３３ｄソース、３３ｅはゲート絶縁膜、３３ｆは半導体基板である。これらでＭＯＳ型トランジスタを構成している。
【００５５】
図３に示す例では、スイッチ手段９をＰチャネルＭＯＳ型トランジスタで構成する例を示している。Ｎ型の半導体基板３３ｆに、Ｐ型のドレイン３３ｂとなる領域とソース３３ｄとなる領域とを設け、同様に、半導体基板３３ｆと同一導電型のバルク３３ｃとなる領域を設けている。半導体基板３３ｆのドレイン３３ｂとソース３３ｄとの間の領域は、チャネル領域となり、その上部にゲート絶縁膜３３ｅを有している。
図３（ｂ）において、ＭＯＳ型トランジスタの導電型を説明する表記にあっては、Ｐ型またはＮ型を単に「Ｐ」または「Ｎ」の記号で記載している。なお、「Ｎ−」の表記は、同じ導電型であっても不純物濃度が低い状態を示している。
【００５６】
ＭＯＳ型トランジスタのゲート３３ａとソース３３ｄとバルク３３ｃとは共通に接続している。このように、ゲート，ソース，バルクを共通に接続して一方の端子とし、ドレインを他方の端子とするような接続形態を、ＭＯＳ型トランジスタのダイオード接続という。
なお、ＭＯＳ型トランジスタをダイオード接続するとき、ゲートおよびバルクと接続するのはソースではなくドレインであってもかまわない。
また、スイッチ手段９の２つの端子を説明するため、ゲート３３ａとソース３３ｄとバルク３３ｃとを共通に接続した端子を第１の端子、ドレイン３３ｂを第２の端子と呼ぶことにする。
【００５７】
スイッチ手段９は、昇圧出力端子４と高電位入力端子２との間に接続するが、第１の端子を配線５を介して昇圧出力端子４に接続し、第２の端子（ドレイン３３ｂ）を配線３を介して入力高電位入力端子２に接続する。
【００５８】
次に、スイッチ手段９を構成するＭＯＳ型トランジスタの動作について説明する。
まず、上述の接続によって、チャージポンプ昇圧回路１が動作を停止しているとき、および昇圧出力端子４に現れる昇圧電圧が高電位入力端子２の入力最高電位より低いときを説明する。
このような状態のとき、第２の端子（ドレイン３３ｂ）の電位より第１の端子の電位が低いため、ドレイン３３ｂと半導体基板３３ｆとのＰＮ接合が順方向バイアスとなる。これにより、ドレイン３３ｂと半導体基板３３ｆとの間が導通する。
半導体基板３３ｆとバルク３３ｃとは、同一導電型であるから導通しており、第１の端子と第２の端子であるドレイン３３ｂとは、導通するのである。
つまり、スイッチ手段９は「接続」の状態になる。
【００５９】
次に、チャージポンプ昇圧回路１が昇圧動作を行っているときを説明する。
このような状態のとき、第２の端子（ドレイン３３ｂ）の電位より第１の端子の電位が高いため、ドレイン３３ｂと半導体基板３３ｆとのＰＮ接合が逆方向バイアスとなる。これにより、ドレイン３３ｂと半導体基板３３ｆとの間は導通しない。したがって、第１の端子と第２の端子であるドレイン３３ｂとは、電気的に切断しているのである。
つまり、スイッチ手段９は「開放」の状態になる。
【００６０】
すなわち、スイッチ手段９は、チャージポンプ昇圧回路１が動作を停止しているとき、および昇圧出力端子４に現れる昇圧電圧が高電位入力端子２の入力最高電位より低いときには、「接続」状態になり、昇圧出力端子４の電位を高電位入力端子２の電位とするのである。
この「接続」状態は、チャージポンプ回路２０が動作をし始めて、昇圧出力端子４の電位が上昇して、高電位入力端子２の電位関係と逆転するまでの期間、保たれる。すなわち、この期間が所定の時間となる。
その後、高電位入力端子２の電位よりも昇圧出力端子４の電位が所定の電位差になると「開放」状態となるのである。この所定の電位差とは、図３に示すダイオード接続されたＭＯＳ型トランジスタでいえば、ＰＮ接合が順方向となる電位差であり、おおよそ０．５Ｖ程度である。
【００６１】
以上の説明のとおり、このスイッチ手段９は、専用の制御回路を必要とせずに、高電位入力端子２と昇圧出力端子４との電位差だけで自動的に動作するものである。
本発明の実施形態では、スイッチ手段９をＰチャネルＭＯＳ型トランジスタで構成する例を示しているが、スイッチ手段９は、この構成に限定するものではない。例えば、ＮチャネルＭＯＳ型トランジスタを用いて構成することや、ＰＮ接合型ダイオード素子を用いて構成することもできる。
【産業上の利用可能性】
【００６２】
本発明のチャージポンプ昇圧回路は、昇圧回路駆動用クロックを供給するだけで速やかに起動することができる。したがって、起動と停止とを繰り返す電子機器に搭載する昇圧回路として好適である。
【図面の簡単な説明】
【００６３】
【図１】本発明のチャージポンプ昇圧回路を説明するブロック図である。
【図２】本発明のチャージポンプ昇圧回路の構成を説明する図である。
【図３】本発明のチャージポンプ昇圧回路を構成するスイッチ手段を説明する図である。
【図４】特許文献１に示した従来技術を説明する回路図である。
【符号の説明】
【００６４】
１  チャージポンプ昇圧回路
２  高電位入力端子
４  昇圧出力端子
６  基準電位端子
８  入力電位端子
９  スイッチ手段
２０  チャージポンプ回路
２２  制御回路
２４  クロック入力端子
３３ａ  ゲート
３３ｂ  ドレイン
３３ｃ  バルク
３３ｄ  ソース
３３ｅ  ゲート絶縁膜
３３ｆ  半導体基板
６０〜６６  スイッチ素子
７２，７４，２６  昇圧コンデンサ
【図１】
2009232592.tif 000003
【図２】
2009232592.tif 000004
【図３】
2009232592.tif 000005
【図４】
2009232592.tif 000006